(57)【要約】 【課題】  本発明は、作業員が本雪止め具を屋根面に取付け施工する際に使用するボルト，ナットの螺子類への作業工具の取扱いを支障なく円滑に行うことができる手段を提供することを目的とする。 【解決手段】  立体形状に成る杆材製の雪止め部材１を設置する四角形状の底辺杆材部の一側部において、開口部７を外側方に向け閉口部を内側部に設置して成る取付固定具６を設け、この取付固定具の開口部後側中央に螺子を装着し、この螺子の上端部は前記雪止め部材から若干外れた位置にある取付装置である。また雪止め部材を構成する杆材製品の立体形状は任意であるとしても、その製品全体は比較的小型に成り、屋根面への取付固定具の数は１個又は２個である。【選択図】    図１
2016117998.tif 000002
【特許請求の範囲】
【請求項１】
全体が杆材製の雪止め部材の基礎杆材の一側部に、開口部を外側方に向け閉口部を内側部に設置して成る取付固定具を設け、この取付固定具の開口部後側中央に螺子を装着し、この螺子の上端部は前記雪止め部材から若干外れた位置にあることを特徴とする屋根用雪止め具の取付装置。
【請求項２】
製品全体が比較的小型になる雪止め部材の屋根面への取付固定具が１個又は２個にて成る請求項１に記載した屋根用雪止め具の取付装置。
【発明の詳細な説明】
【技術分野】
【０００１】
本発明は、屋根における雪止め具の取付装置に関するものである。
【背景技術】
【０００２】
本発明者は、同一発明者の出願にかかる特願２０１１−８９０１０号（特開２０１２−２２９６０２号）における技術を改良するために、特願２０１４−２１３１６１号に係る屋根用雪止め具を発明したが、これは任意形状に成る杆材製の雪止め部材を被套する基台部材の内側部において屋根面への取付固定具を設置して成るものであるから、積雪が取付固定具に直接接触しないようになり、雪止め部材の屋根面との固定維持力は十分となり、また屋根全面に設置される雪止め部材の屋根面における外観はきわめて良好な状態に保持されるという効果はあるものの、作業員による取付け施工が円滑かつ迅速にはできず、取付けに困難を起こす欠点があった。
【先行技術文献】
【特許文献】
【０００３】
【特許文献１】特願２０１４−２１３１６１号
【発明の概要】
【発明が解決しようとする課題】
【０００４】
そこで、本発明は、作業員が本雪止め具を屋根面に取付け施工する際に使用するボルト，ナットの螺子類への作業工具の取扱いが、支障なく円滑に行うことができる手段を提供することを目的とするものである。
【課題を解決するための手段】
【０００５】
本発明は、立体形状に成る杆材製の雪止め部材を設置する四角形状の底辺杆材部の一側部において、開口部を外側方に向け閉口部を内側部に設置して成る取付固定具を設け、この取付固定具の開口部後側中央に螺子を装着し、この螺子の上端部は前記雪止め部材から若干外れた位置にある取付装置である。
【０００６】
また本発明にあっては、雪止め部材を構成する杆材製品の立体形状は任意であるとしても、その製品全体は比較的小型に成り、屋根面への取付固定具の数は１個又は２個である。
【発明の効果】
【０００７】
本発明にあっては、ピラミッド形であっても入母屋形であっても、立体形状に成る杆材の組み合わせによって構成した雪止め部材の屋根面への取付け固定が半内蔵状態でなされることから、取付固定具が積雪に直接している面積はきわめて小さくなり、これによって積雪による加圧力の影響は殆んどなくなるし、同時に、屋根面への取付け作業には、隣接する雪止め部材による邪魔はなく、円滑かつ確実に取付けを行うことができるのである。
【０００８】
しかも、雪止め部材を取付けたことによって、屋根面の美観を毀損することなく良好に保持することができるようになるのである。
【図面の簡単な説明】
【０００９】
【図１】実施例１の斜視図
【図２】図１の平面図
【図３】図１の右側面図
【図４】実施例２の斜視図
【図５】図４の平面図
【図６】図４の右側面図
【図７】図１，図４における要部の側断面図
【発明を実施するための形態】
【００１０】
いずれの立体形状に成る雪止め部材にあっても、横葺屋根面における取付け状態は、雪止め部材の一側部に設置した取付固定具側が棟方向に位置し、反対側の雪止め部材が軒方向に位置するようになる。したがって、作業員は棟方向に位置している取付固定具に向かって作業することになる。
【００１１】
即ち、作業員は、横葺屋根板の屋根を見て、雪止め部材の後側部に出ている取付固定具の開口部上に突設するボルトに螺合するナットをスパナ等の作業工具によって緊締する。
【００１２】
これによって、開口部の基板部に挟持されている屋根板の一部に向かって上方の締付部が加圧して固定するようになる。
【実施例１】
【００１３】
図１乃至図３に示す実施例１は、次のような構成である。
【００１４】
１は杆材によりピラミッド形に構成する雪止め部材で、これは底辺部から頂点部にかけて三角形に曲折した三角杆材２，２を前後両側部から斜設して接合し、この前後両三角杆材の底辺部，中間部，上側部の周囲には、間隔をおいて水平に枠杆材３，３，３を接合して成るものである。
【００１５】
４は前記枠杆材３の左右底辺部間の前側部寄りに架設した支板で、この支板には後記取付固定具６の後側部に設けた連結部１２を係合する。
【００１６】
５は前記雪止め部材１の支板４に近い三角杆材２の内側部の底・中・上の枠杆材３，３，３間に架設する小三角杆材で、この小三角杆材の前側部においては取付固定具６の開口部７が外側方に突設する。
【００１７】
この取付固定具６は、上下に咬み合う開口部材を構成する基板部８を咬合板部９とは、例えば横葺屋根板に取付き固定するようになるが、この基板部８と咬合板部９とは、ボルト１０により連結し、このボルト１０にはナット１１が螺合して緊締作業を行う。
【００１８】
前記基板部８の後側部には曲折して成る連結部１２を設ける。
【００１９】
以上の実施例１は、ピラミッド形に構成した雪止め部材の三角杆材の底辺部材の一側部において、取付固定具６の開口部７が外側方に突設しており、この開口部を構成する上下の咬合板部９と基板部８とによる緊締作業を、雪止め部材に最接近した外部位置において行うことを特徴とするものである。
【実施例２】
【００２０】
図４乃至図６に示す実施例２は、次のような構成である。
【００２１】
１３は底辺部材の全面が四角形状になり，側面部が三角形状になる杆材によって、全体が入母屋型に構成する雪止め部材で、これは側面三角形状の杆材１４・・・を間隔をおいて立設し、各三角形杆材の前後両側部間に上下に間隔をおいて水平杆材１５・・・を架設して成るものである。
【００２２】
１６，１６は左右外側部に位置する前記三角形杆材１４，１４に縦方向に架設した補助杆材である。
【００２３】
１７は前記左右外側部の三角形杆材１４，１４の左右底辺部間の前側部寄りに架設した支板で、この支板には後記取付固定具１８，１８の基板部２０，２０の
後側部に設けた連結部１９，１９を係合する。
【００２４】
１８，１８は前記雪止め部材１３の支板１７に近い三角杆材の左右前側部に突設する取付固定具で、この取付固定具の前側部には基板部２０，２０と咬合板部２１，２１とから成る開口部２２，２２を突設し、この開口部は横葺屋根板に取付き固定するようになるが、この基板部２０，２０と咬合板部２１，２１とは、ボルト２３，２３に対するナット２４，２４の緊締作業によって行われる。
【００２５】
前記基板部２０の後側部には曲折して成る連結部１９を設ける。
【００２６】
以上の実施例２は、入母屋型に構成した雪止め部材１３の一側部において、取付け固定具１８，１８の開口部２２，２２が外側方に突設し、この開口部を構成する上下の咬合板部を基板部とに対する緊締作業を、雪止め部材１３の最接近した外部位置において行うことを特徴とするものである。
【符号の説明】
【００２７】
１                            雪止め部材
２，２                        三角杆材
３，３，３                    枠杆材
４                            支板
５                            小三角杆材
６                            取付固定具
７                            開口部
８                            基板部
９                            咬合板部
１０，１０                    ボルト
１１，１１                    ナット
１２                          連結部
１３                          雪止め部材
１４・・・                    三角形杆材
１５・・                      水平杆材
１６，１６                    補強杆材
１７                          支板
１８，１８                    取付固定具
１９，１９                    連結部
２０，２０                    基板部
２１，２１                    咬合板部
２２，２２                    開口部
２３，２３                    ボルト
２４，２４                    ナット
【図１】
2016117998.tif 000003
【図２】
2016117998.tif 000004
【図３】
2016117998.tif 000005
【図４】
2016117998.tif 000006
【図５】
2016117998.tif 000007
【図６】
2016117998.tif 000008
【図７】
2016117998.tif 000009
【手続補正書】
【提出日】平成27年2月17日(2015.2.17)
【手続補正１】
【補正対象書類名】明細書
【補正対象項目名】０００５
【補正方法】変更
【補正の内容】
【０００５】
本発明は、立体形状に成る杆材製の雪止め部材を設置する四角形状の底辺杆材部の一側部において、基板部と咬合板部から成る開口部を外側方向に設置して成る取付固定具を設け、この取付固定具の基板部と咬合板部との後側中央部に螺子を装着し、この螺子の上端部は前記雪止め部材から外れた位置にある取付装置である。
【手続補正２】
【補正対象書類名】明細書
【補正対象項目名】００１４
【補正方法】変更
【補正の内容】
【００１４】
１は杆材によりピラミッド形に構成する雪止め部材で、これは底辺部から頂点部にかけて三角形に曲折した三角杆材２，２を前後両側部から斜設して接合し、この前後両三角杆材の底辺部，中間部，上側部の周囲には、間隔をおいて水平に四角形状に成る枠杆材３，３，３を接合して成るものである。
【手続補正３】
【補正対象書類名】明細書
【補正対象項目名】００１５
【補正方法】変更
【補正の内容】
【００１５】
４は前記枠杆材３の左右底辺部間の後側部寄りに架設した支板で、この支板には後記取付固定具６の後側部に設けた曲折連結部１２を係合する。
【手続補正４】
【補正対象書類名】明細書
【補正対象項目名】００１９
【補正方法】変更
【補正の内容】
【００１９】
以上の実施例１は、ピラミッド形に構成した雪止め部材の三角杆材の底辺部材の一側部において、取付固定具６の開口部７が外側方に突設しており、この開口部を構成する上下の基板部８と咬合板部９とによる緊締作業を、雪止め部材に最接近した外側部位置において行うことを特徴とするものである。
【手続補正５】
【補正対象書類名】明細書
【補正対象項目名】００２６
【補正方法】変更
【補正の内容】
【００２６】
以上の実施例２は、入母屋型に構成した雪止め部材１３の一側部において、取付け固定具１８，１８の開口部２２，２２が外側方に突設し、この開口部を構成する上下の咬合板部を基板部とに対する緊締作業を、雪止め部材１３の最接近した外側部位置において行うことを特徴とするものである。
【手続補正６】
【補正対象書類名】特許請求の範囲
【補正対象項目名】請求項１
【補正方法】変更
【補正の内容】
【請求項１】
全体が杆材製の雪止め部材の基礎杆材の一側部に、基板部と咬合板部から成る開口部を外側方向に設置して成る取付固定具を設け、この取付固定具の基板部と咬合板部との後側中央部に螺子を装着し、この螺子の上端部は前記雪止め部材から外れた位置にあることを特徴とする屋根用雪止め具の取付装置。